(57)【特許請求の範囲】
【請求項１】
遠心ブラストホイール機械であって、
ホイールアセンブリであって、前記ホイールアセンブリの中に導入されたブラスト媒体をワークピースに対して投入するように構成される複数のブレードを有するホイールアセンブリと、
前記ホイールアセンブリの軸を中心として位置付けられるインペラであって、前記インペラは、一端においてブラスト媒体を受容するように適合される媒体入口と、前記インペラの回転に応じてブラスト媒体の流出を可能にするように構築および配列される複数のインペラ媒体出口とを有する、インペラと、
前記インペラに結合され、前記インペラおよび前記ホイールアセンブリの回転を駆動させるモータと、
前記インペラを囲繞し、前記ホイールアセンブリに固着される制御ケージアセンブリであって、前記制御ケージアセンブリは、
内部チャンバを画定する円筒形壁と、前記円筒形壁内に形成される媒体出口とを有し、前記内部チャンバからのブラスト媒体の流出を可能にする制御ケージと、
前記円筒形壁の周辺縁に固着される係止リングであって、前記係止リングは、前記係止リングから半径方向外向きに突出するインジケータを含む、係止リングと、
前記ホイールアセンブリに固着されるアダプタプレートであって、前記アダプタプレートは、前記制御ケージの円筒形壁をその中に受容するように構成される中心開口部と、その中に形成され、前記係止リングを前記アダプタプレートに固着させ前記制御ケージを前記アダプタプレートに係合させると、前記制御ケージの回転移動を所定の範囲に制限するために、前記インジケータを受容するように構成される、少なくとも１つの陥凹とを含む、アダプタプレートと、
前記制御ケージの回転移動を防止するために、前記アダプタプレートに固着され前記係止リングおよび前記制御ケージを定位置にしっかりと固着させるように構成される保定リングと、
を含む、制御ケージアセンブリと、
を備える、遠心ブラストホイール機械。
【請求項２】
前記アダプタプレートは、その中に形成される円周方向陥凹を含み、前記円周方向陥凹は、前記係止リングをその中に受容するように構成される、請求項１に記載の遠心ブラストホイール機械。
【請求項３】
前記アダプタプレートの前記少なくとも１つの陥凹は、前記円周方向陥凹から外向きに延在する、請求項２に記載の遠心ブラストホイール機械。
【請求項４】
前記少なくとも１つの陥凹は、前記係止リング内における前記制御ケージの移動の範囲を含む、請求項１に記載の遠心ブラストホイール機械。
【請求項５】
前記移動の範囲は、色分けされる、請求項４に記載の遠心ブラストホイール機械。
【請求項６】
前記少なくとも１つの陥凹はさらに、前記インジケータのための確動停止部として作用し、推奨される設定を超えた前記係止リングのさらなる回転移動を防止する、請求項１に記載の遠心ブラストホイール機械。
【請求項７】
前記係止リングは、前記保定リングが定位置に固着されるまで、前記保定リングと前記アダプタプレートとの間を自由に浮動する、請求項１に記載の遠心ブラストホイール機械。
【請求項８】
遠心ブラストホイール機械のための制御ケージアセンブリであって、
前記制御ケージアセンブリは、
内部チャンバを画定する円筒形壁と、前記円筒形壁内に形成される媒体出口とを有し、前記内部チャンバからのブラスト媒体の流出を可能にする、制御ケージと、
前記円筒形壁の周辺縁に固着される係止リングであって、前記係止リングは、前記係止リングから半径方向外向きに突出するインジケータを含む、係止リングと、
ホイールアセンブリに固着されるアダプタプレートであって、前記アダプタプレートは、前記制御ケージの円筒形壁をその中に受容するように構成される中心開口部と、その中に形成され、前記係止リングを前記アダプタプレートに固着させ前記制御ケージを前記アダプタプレートに係合させると、前記制御ケージの回転移動を所定の範囲に制限するために、前記インジケータを受容するように構成される、少なくとも１つの陥凹とを含む、アダプタプレートと、
前記制御ケージの回転移動を防止するために、前記アダプタプレートに固着され前記係止リングおよび前記制御ケージを定位置にしっかりと固着させるように構成される保定リングと、
を備える、制御ケージアセンブリ。
【請求項９】
前記アダプタプレートは、その中に形成される円周方向陥凹を含み、前記円周方向陥凹は、前記係止リングをその中に受容するように構成される、請求項８に記載の制御ケージアセンブリ。
【請求項１０】
前記アダプタプレートの前記少なくとも１つの陥凹は、前記円周方向陥凹から外向きに延在する、請求項９に記載の制御ケージアセンブリ。
【請求項１１】
前記少なくとも１つの陥凹は、前記係止リング内における前記制御ケージの移動の範囲を含む、請求項８に記載の制御ケージアセンブリ。
【請求項１２】
前記移動の範囲は、色分けされる、請求項１１に記載の制御ケージアセンブリ。
【請求項１３】
前記少なくとも１つの陥凹はさらに、前記インジケータのための確動停止部として作用し、推奨される設定を超えた前記係止リングのさらなる回転移動を防止する、請求項８に記載の制御ケージアセンブリ。
【請求項１４】
前記係止リングは、前記保定リングが定位置に固着されるまで、前記保定リングと前記アダプタプレートとの間を自由に浮動する、請求項８に記載の制御ケージアセンブリ。
【請求項１５】
遠心ブラストホイール機械を組み立てる方法であって、
前記方法は、
内部チャンバを有する円筒形壁と、前記円筒形壁内に形成される媒体出口とを有し、前記内部チャンバからのブラスト媒体の流出を可能にする制御ケージを提供することと、
係止リングを前記円筒形壁の周辺縁に固着させることであって、前記係止リングは、前記係止リングから半径方向外向きに突出するインジケータを含む、ことと、
アダプタプレートをホイールアセンブリに固着させることであって、前記アダプタプレートは、前記制御ケージの円筒形壁をその中に受容するように構成される中心開口部と、その中に形成され、前記係止リングを前記アダプタプレートに固着させ前記制御ケージを前記アダプタプレートに係合させると、前記制御ケージの回転移動を所定の範囲に制限するために、前記インジケータを受容するように構成される、少なくとも１つの陥凹とを含む、ことと、
前記係止リングを有する制御ケージを前記アダプタプレート上に位置付けることと、
前記制御ケージの回転移動を防止するために、保定リングを前記アダプタプレートに固着させ前記係止リングおよび前記制御ケージを定位置に固着させることと、
を含む、方法。
【請求項１６】
前記アダプタプレートは、その中に形成される円周方向陥凹を含み、前記円周方向陥凹は、前記係止リングをその中に受容するように構成される、請求項１５に記載の方法。
【請求項１７】
前記少なくとも１つの陥凹は、前記係止リング内における前記制御ケージの移動の範囲を含む、請求項１６に記載の方法。
【請求項１８】
前記移動の範囲は、色分けされる、請求項１７に記載の方法。
【請求項１９】
前記少なくとも１つの陥凹はさらに、前記インジケータのための確動停止部として作用し、推奨される設定を超えた前記係止リングのさらなる回転移動を防止する、請求項１５に記載の方法。
【請求項２０】
前記係止リングは、前記保定リングが定位置に固着されるまで、前記保定リングと前記アダプタプレートとの間を自由に浮動する、請求項１５に記載の方法。
【発明の詳細な説明】
【技術分野】
【０００１】
本開示は、概して、研磨用ブラストホイールおよびワークピースの表面を清掃または処理するための方法に関し、より具体的には、遠心ブラストホイール機械のための制御ケージアセンブリおよび遠心ブラストホイール機械を組み立てる方法に関する。
【背景技術】
【０００２】
遠心ブラストホイール機械は、概して、半径方向に延在するブレードを搬送するプレートまたは一対の離間されたプレートを有する、回転可能ホイールを含む。粒子状物質が、ブラストホイールの中心からブレードの回転表面上に放出され、これは、清掃または処理されるように、粒子状物質をワークピースの表面に対して推進する。具体的には、ブラスト媒体は、給送噴出口からブラストホイールの中心において制御ケージ内に据え付けられた回転インペラの中に給送される。媒体は、インペラから、制御ケージ内の開口部を通して回転ブレードの後端または内側端部上に給送される。媒体は、ブレードの面に沿って進行し、ブレードの先端から処理されるべきワークピース表面に投入される。
【０００３】
ある実施形態では、遠心ブラストホイール機械の筐体に向かって指向される望ましくない媒体ブラストは、筐体上に提供されるライナシステムに有害となり得る。従来の鋳造ライナで立証されるようなライナシステムにおける潜在的故障を生じさせる、筐体の中への偶発的ブラストを防止するためのシステムの必要性がある。
【発明の概要】
【課題を解決するための手段】
【０００４】
本開示の一側面は、ホイールアセンブリの中に導入されたブラスト媒体をワークピースに対して投入するように構成される複数のブレードを有する、ホイールアセンブリと、ホイールアセンブリの軸を中心として位置付けられる、インペラとを備える、遠心ブラストホイール機械を対象とする。一実施形態では、インペラは、一端においてブラスト媒体を受容するように適合される、媒体入口と、インペラの回転に応じて、ブラスト媒体の流出を可能にするように構築および配列される、複数のインペラ媒体出口とを有する。機械はさらに、インペラに結合され、インペラおよびホイールアセンブリの回転を駆動させる、モータと、インペラを囲繞し、ホイールアセンブリに固着される、制御ケージアセンブリとを備える。制御ケージアセンブリは、内部チャンバを画定する円筒形壁と、円筒形壁内に形成され、内部チャンバからのブラスト媒体の流出を可能にする、媒体出口とを有する、制御ケージと、円筒形壁の周辺縁に固着される、係止リングであって、係止リングから半径方向外向きに突出する、インジケータを含む、係止リングと、ホイールアセンブリに固着される、アダプタプレートとを含む。アダプタプレートは、制御ケージの円筒形壁をその中に受容するように構成される、中心開口部と、その中に形成され、係止リングおよび制御ケージをアダプタプレートに固着させると、インジケータを受容するように構成される、少なくとも１つの陥凹とを含む。アダプタプレートはさらに、アダプタプレートに固着され、係止リングおよび制御ケージを定位置にしっかりと固着させるように構成される、保定リングを含む。
【０００５】
機械の実施形態はさらに、その中に形成される円周方向陥凹を有する、アダプタプレートを含んでもよい。円周方向陥凹は、係止リングをその中に受容するように構成されてもよい。アダプタプレートの少なくとも１つの陥凹は、円周方向陥凹から外向きに延在してもよい。少なくとも１つの陥凹は、係止リング内において制御ケージのある範囲の移動を含んでもよい。移動の範囲は、色分けされてもよい。少なくとも１つの陥凹はさらに、インジケータ針のための確動停止部として作用し、推奨される設定を超えた係止リングのさらなる回転移動を防止してもよい。係止リングは、保定リングが定位置に固着されるまで、保定リングとアダプタプレートとの間を自由に浮動してもよい。
【０００６】
本開示の別の側面は、遠心ブラストホイール機械のための制御ケージアセンブリを対象とする。一実施形態では、制御ケージアセンブリは、内部チャンバを画定する円筒形壁と、円筒形壁内に形成され、内部チャンバからのブラスト媒体の流出を可能にする、媒体出口とを有する、制御ケージと、円筒形壁の周辺縁に固着される、係止リングとを備える。係止リングは、係止リングから半径方向外向きに突出する、インジケータを含む。制御ケージアセンブリはさらに、ホイールアセンブリに固着される、アダプタプレートを備える。アダプタプレートは、制御ケージの円筒形壁をその中に受容するように構成される、中心開口部と、その中に形成され、係止リングおよび制御ケージをアダプタプレートに固着させると、インジケータを受容するように構成される、少なくとも１つの陥凹とを含む。制御ケージはさらに、アダプタプレートに固着され、係止リングおよび制御ケージを定位置にしっかりと固着させるように構成される、保定リングを備える。
【０００７】
制御ケージの実施形態はさらに、その中に形成される円周方向陥凹を有する、アダプタプレートを含んでもよい。円周方向陥凹は、係止リングをその中に受容するように構成されてもよい。アダプタプレートの少なくとも１つの陥凹は、円周方向陥凹から外向きに延在してもよい。少なくとも１つの陥凹は、係止リング内において制御ケージのある範囲の移動を含んでもよい。移動の範囲は、色分けされてもよい。少なくとも１つの陥凹はさらに、インジケータ針のための確動停止部として作用し、推奨される設定を超えた係止リングのさらなる回転移動を防止してもよい。係止リングは、保定リングが定位置に固着されるまで、保定リングとアダプタプレートとの間を自由に浮動してもよい。
【０００８】
本開示のさらに別の側面は、遠心ブラストホイール機械を組み立てる方法を対象とする。一実施形態では、本方法は、内部チャンバを有する円筒形壁と、円筒形壁内に形成される媒体出口とを有し、内部チャンバからのブラスト媒体の流出を可能にする、制御ケージを提供するステップと、係止リングを円筒形壁の周辺縁に固着させるステップであって、係止リングは、係止リングから半径方向外向きに突出する、インジケータを含む、ステップと、アダプタプレートをホイールアセンブリに固着させるステップであって、アダプタプレートは、制御ケージの円筒形壁をその中に受容するように構成される、中心開口部と、その中に形成され、係止リングおよび制御ケージをアダプタプレートに固着させると、インジケータを受容するように構成される、少なくとも１つの陥凹とを含む、ステップと、係止リングを有する制御ケージをアダプタプレート上に位置付けるステップと、保定リングをアダプタプレートに固着させ、係止リングおよび制御ケージを定位置に固着させるステップとを含む。
【０００９】
方法の実施形態はさらに、その中に形成される円周方向陥凹を有する、アダプタプレートを含んでもよく、円周方向陥凹は、係止リングをその中に受容するように構成される。少なくとも１つの陥凹はさらに、係止リング内において制御ケージのある範囲の移動を含んでもよい。移動の範囲は、色分けされてもよい。少なくとも１つの陥凹はさらに、インジケータ針のための確動停止部として作用し、推奨される設定を超えた係止リングのさらなる回転移動を防止してもよい。係止リングは、保定リングが定位置に固着されるまで、保定リングとアダプタプレートとの間を自由に浮動してもよい。
本明細書は、例えば、以下の項目も提供する。
（項目１）
遠心ブラストホイール機械であって、
ホイールアセンブリであって、前記ホイールアセンブリの中に導入されたブラスト媒体をワークピースに対して投入するように構成される複数のブレードを有するホイールアセンブリと、
前記ホイールアセンブリの軸を中心として位置付けられるインペラであって、前記インペラは、一端においてブラスト媒体を受容するように適合される媒体入口と、前記インペラの回転に応じて、ブラスト媒体の流出を可能にするように構築および配列される、複数のインペラ媒体出口とを有する、インペラと、
前記インペラに結合され、前記インペラおよび前記ホイールアセンブリの回転を駆動させるモータと、
前記インペラを囲繞し、前記ホイールアセンブリに固着される制御ケージアセンブリであって、前記制御ケージアセンブリは、
内部チャンバを画定する円筒形壁と、前記円筒形壁内に形成される媒体出口とを有し、前記内部チャンバからのブラスト媒体の流出を可能にする制御ケージと、
前記円筒形壁の周辺縁に固着される係止リングであって、前記係止リングは、前記係止リングから半径方向外向きに突出するインジケータを含む、係止リングと、
前記ホイールアセンブリに固着されるアダプタプレートであって、前記アダプタプレートは、前記制御ケージの円筒形壁をその中に受容するように構成される中心開口部と、その中に形成され、前記係止リングおよび前記制御ケージを前記アダプタプレートに固着させると、前記インジケータを受容するように構成される、少なくとも１つの陥凹とを含む、アダプタプレートと、
前記アダプタプレートに固着され、前記係止リングおよび前記制御ケージを定位置にしっかりと固着させるように構成される保定リングと、
を含む、制御ケージアセンブリと、
を備える、遠心ブラストホイール機械。
（項目２）
前記アダプタプレートは、その中に形成される円周方向陥凹を含み、前記円周方向陥凹は、前記係止リングをその中に受容するように構成される、項目１に記載の遠心ブラストホイール機械。
（項目３）
前記アダプタプレートの少なくとも１つの陥凹は、前記円周方向陥凹から外向きに延在する、項目２に記載の遠心ブラストホイール機械。
（項目４）
前記少なくとも１つの陥凹は、前記係止リング内において前記制御ケージのある範囲の移動を含む、項目１に記載の遠心ブラストホイール機械。
（項目５）
前記移動の範囲は、色分けされる、項目４に記載の遠心ブラストホイール機械。
（項目６）
前記少なくとも１つの陥凹はさらに、前記インジケータ針のための確動停止部として作用し、推奨される設定を超えた前記係止リングのさらなる回転移動を防止する、項目１に記載の遠心ブラストホイール機械。
（項目７）
前記係止リングは、前記保定リングが定位置に固着されるまで、前記保定リングと前記アダプタプレートとの間を自由に浮動する、項目１に記載の遠心ブラストホイール機械。
（項目８）
遠心ブラストホイール機械のための制御ケージアセンブリであって、
前記制御ケージアセンブリは、
内部チャンバを画定する円筒形壁と、前記円筒形壁内に形成される媒体出口とを有し、前記内部チャンバからのブラスト媒体の流出を可能にする、制御ケージと、
前記円筒形壁の周辺縁に固着される係止リングであって、前記係止リングは、前記係止リングから半径方向外向きに突出するインジケータを含む、係止リングと、
ホイールアセンブリに固着されるアダプタプレートであって、前記アダプタプレートは、前記制御ケージの円筒形壁をその中に受容するように構成される中心開口部と、その中に形成され、前記係止リングおよび前記制御ケージを前記アダプタプレートに固着させると、前記インジケータを受容するように構成される、少なくとも１つの陥凹とを含む、アダプタプレートと、
前記アダプタプレートに固着され、前記係止リングおよび前記制御ケージを定位置にしっかりと固着させるように構成される保定リングと、
を備える、制御ケージアセンブリ。
（項目９）
前記アダプタプレートは、その中に形成される円周方向陥凹を含み、前記円周方向陥凹は、前記係止リングをその中に受容するように構成される、項目８に記載の制御ケージアセンブリ。
（項目１０）
前記アダプタプレートの少なくとも１つの陥凹は、前記円周方向陥凹から外向きに延在する、項目９に記載の制御ケージアセンブリ。
（項目１１）
前記少なくとも１つの陥凹は、前記係止リング内において前記制御ケージのある範囲の移動を含む、項目８に記載の制御ケージアセンブリ。
（項目１２）
前記移動の範囲は、色分けされる、項目１１に記載の制御ケージアセンブリ。
（項目１３）
前記少なくとも１つの陥凹はさらに、前記インジケータ針のための確動停止部として作用し、推奨される設定を超えた前記係止リングのさらなる回転移動を防止する、項目８に記載の制御ケージアセンブリ。
（項目１４）
前記係止リングは、前記保定リングが定位置に固着されるまで、前記保定リングと前記アダプタプレートとの間を自由に浮動する、項目８に記載の制御ケージアセンブリ。
（項目１５）
遠心ブラストホイール機械を組み立てる方法であって、
前記方法は、
内部チャンバを有する円筒形壁と、前記円筒形壁内に形成される媒体出口とを有し、前記内部チャンバからのブラスト媒体の流出を可能にする制御ケージを提供するステップと、
係止リングを前記円筒形壁の周辺縁に固着させるステップであって、前記係止リングは、前記係止リングから半径方向外向きに突出するインジケータを含む、ステップと、
アダプタプレートをホイールアセンブリに固着させるステップであって、前記アダプタプレートは、前記制御ケージの円筒形壁をその中に受容するように構成される中心開口部と、その中に形成され、前記係止リングおよび前記制御ケージを前記アダプタプレートに固着させると、前記インジケータを受容するように構成される、少なくとも１つの陥凹とを含む、ステップと、
前記係止リングを有する制御ケージを前記アダプタプレート上に位置付けるステップと、
保定リングを前記アダプタプレートに固着させ、前記係止リングおよび前記制御ケージを定位置に固着させるステップと、
を含む、方法。
（項目１６）
前記アダプタプレートは、その中に形成される円周方向陥凹を含み、前記円周方向陥凹は、前記係止リングをその中に受容するように構成される、項目１５に記載の方法。
（項目１７）
前記少なくとも１つの陥凹は、前記係止リング内において前記制御ケージのある範囲の移動を含む、項目１６に記載の方法。
（項目１８）
前記移動の範囲は、色分けされる、項目１７に記載の方法。
（項目１９）
前記少なくとも１つの陥凹はさらに、前記インジケータ針のための確動停止部として作用し、推奨される設定を超えた前記係止リングのさらなる回転移動を防止する、項目１５に記載の方法。
（項目２０）
前記係止リングは、前記保定リングが定位置に固着されるまで、前記保定リングと前記アダプタプレートとの間を自由に浮動する、項目１５に記載の方法。
【図面の簡単な説明】
【００１０】
付随の図面は、正確な縮尺で描かれるように意図されていない。図面中、種々の図に図示される、各同じまたはほぼ同じ構成要素は、同一数字によって表される。明確化の目的のために、全ての構成要素が、全ての図面において標識されない場合がある。
【００１１】
【図１】図１は、遠心ブラストホイール機械の一部の斜視図である。
【図２】図２は、遠心ブラストホイール機械の別の斜視図である。
【図３】図３は、遠心ブラストホイール機械の分解斜視図である。
【図４】図４は、クランプを有する給送噴出口の斜視図である。
【図５】図５は、本開示の制御ケージアセンブリの斜視図である。
【図６】図６は、制御ケージアセンブリの別の斜視図である。
【図７】図７は、制御ケージアセンブリの正面図である。
【図８】図８は、制御ケージアセンブリの断面図である。
【図９】図９は、制御ケージアセンブリの分解斜視図である。
【図１０】図１０は、インジケータまたは制御ケージアセンブリの拡大正面図である。
【発明を実施するための形態】
【００１２】
本開示の実施形態は、制御ケージを通して製造業者によって設定されるような正しいブラストパターン（「ホットスポット」とも呼ばれる）を恒久的に示すように構成される、制御ケージアセンブリを対象とする。制御ケージアセンブリはさらに、既存の制御ケージ設計上で現在可能性として考えられるような正しくないブラストパターン設定を制御ケージを通して防止するように構成される。制御ケージアセンブリは、制御ケージを定位置に係止すると、不正確な設定を防止するように設計される。
【００１３】
制御ケージアセンブリはさらに、制御ケージ／ホットスポットの正しくないユーザ設定から生じる、標準以下のブラストホイール性能を防止する。これは、係止リングに取り付けられた（またはその中に機械加工された）インジケータと組み合わせられる、制御ケージアダプタプレート内に機械加工または陥凹される、色分けされた基準点を具体的面積の中に提供することによって達成される。アセンブリは、制御ケージが制御ケージ係止リングの中に固定される、制御ケージアダプタプレートに固定される、外側制御ケージ保定リングを含む。係止リングは、そのような時間において、保定リングが、定位置に締結され、圧力を係止リング上に印加し、それおよび制御ケージを定位置に固着させるまで、保定リングとアダプタプレートとの間を自由に浮動するであろう。制御ケージアセンブリの着目される特徴は、制御ケージアダプタプレート内に形成される色分けされた陥凹の中にネスト化されるであろう、係止リング上に取り付けられるインジケータ針である。色分けされた陥凹はさらに、インジケータ針のための確動停止部として作用し、推奨される設定を超えた係止リング（制御ケージを制御する）のさらなる回転移動を防止する。
【００１４】
図面、より具体的には、図１−３を参照すると、遠心ブラストホイール機械が、概して、１０に示される。一実施形態では、遠心ブラストホイール機械１０は、概して、１２に示され、遠心ブラストホイール機械の構成要素を格納するように設計される、筐体を含む。遠心ブラストホイール機械１０はさらに、筐体１２によって支持される回転インペラ１４と、概して、１６に示され、インペラを囲繞する、制御ケージアセンブリと、概して、１８に示され、制御ケージアセンブリを受容する、ホイールアセンブリとを含む。モータ２０が、インペラ１４およびホイールアセンブリ１８の回転を駆動させるために提供される。配列は、ブラスト媒体が、給送噴出口から、モータ２０によって駆動される、回転インペラ１４の中に給送されるようなものである。回転インペラ１４の羽根（ならびにインペラ内にすでにある媒体の他の粒子）と接触することによって、ブラスト媒体粒子は、加速され、粒子をインペラの軸から半径方向に移動させる、遠心力を生じさせる。粒子は、ここで、略円形方向ならびに外向きに移動し、インペラ１４内に形成される開口部を通してインペラと制御ケージアセンブリ１６の制御ケージとの間の空間中に移動し、依然として、インペラ羽根および他の粒子の移動によって搬送される。
【００１５】
インペラ開口部を通してインペラ１４と制御ケージとの間の空間の中に通過した粒子が、制御ケージ内に提供される開口部に到達すると、回転力および遠心力は、粒子を開口部を通して羽根の端部上に移動させる。制御ケージアセンブリ１６は、ホイールアセンブリ１８のブレード上への一貫しかつ適切な量のブラスト媒体を計測するように機能する。インペラ１４の羽根が回転するにつれて、粒子は、その長さに沿って移動され、羽根の端部に到達し、羽根の端部から投げられるまで加速する。インペラ１４は、円筒形の形状であるように示されるが、インペラのサイズおよび厚さは、ブラストホイールアセンブリのサイズおよび所望の性能特性に応じて変動してもよい。例えば、インペラ１４は、その軸に沿った両方向にテーパ状になる、内部または外部壁を有してもよい。典型的には、インペラは、鋳造または機械加工された鉄または鋼鉄等の鉄材料から作製されるであろうが、他の材料もまた、適切であり得る。一特定の実施形態では、インペラは、白鋳鉄から形成される。
【００１６】
遠心ブラストホイール機械１０のホイールアセンブリ１８は、ハブまたはホイール２４と、それぞれ、２６に示され、筐体１２内に含有されるワークピースを処理するために、ホイールアセンブリの中に導入されたブラスト媒体を投入する複数のブレードとを含む。配列は、インペラ１４が、ホイールアセンブリ１８のホイール２４の軸を中心として位置付けられるようなものであって、インペラは、一端においてブラスト媒体を受容するように適合される、媒体入口と、インペラの回転に応じて、ブラスト媒体の流出を可能にするように構築および配列される、複数のインペラ媒体出口とを有する。制御ケージアセンブリ１６の制御ケージは、制御ケージアセンブリの媒体出口が、ブラストホイールアセンブリ１８のブレードの後端端部へのブラスト媒体の通過のために適合される、位置において、インペラ１４を囲繞する。前述のように、モータ２０は、インペラ１４およびホイールアセンブリ１８に結合され、インペラおよびホイールアセンブリの回転を駆動させる。
【００１７】
図５および６を参照すると、本開示は、制御ケージアセンブリの制御ケージを定位置に係止するように構成される、研磨用ブラストホイールアセンブリ１８のための制御ケージアセンブリ１６を対象とする。一実施形態では、本開示の制御ケージアセンブリ１６は、内部チャンバを画定する筐体を形成する円筒形壁３０と、内部チャンバからのブラスト媒体の流出を可能にするための媒体出口とを有する、制御ケージ２８を含む。制御ケージ２８を有する典型的遠心ブラストホイール機械１０は、表面にブラスト媒体（図示せず）を射出することによって、ワークピースの表面（図示せず）を処理するために使用される。処理は、清掃、ピーニング、研磨、浸食、バリ取り、バリ浮かし、および同等物の性質を帯びていてもよく、ブラスト媒体は、典型的には、処理される表面および／または表面から除去される材料に応じて、ショット、砂粒、ワイヤ区画、炭酸水素ナトリウム、または他の研磨剤等の固体粒子から成る。
【００１８】
典型的には、鋳鉄から形成される、制御ケージアセンブリ１６の制御ケージ２８は、インペラ１４の周囲に同心に位置付けられ、略円筒形形状である。しかしながら、インペラ１４同様に、制御ケージ２８は、他の形状を有してもよく、例えば、その軸に沿って両方向に内部および／または外部にテーパ状になってもよい。制御ケージ２８はまた、アダプタプレート３６と噛合し、順に、ホイールアセンブリ１８のホイール２４上に搭載され、制御ケージをホイールに対して固定し、ブラストホイールアセンブリ１０の動作に応じて、制御ケージがホイールに対して回転することを防止する、外側フランジまたは係止リング３４を含む。保定リング３８もさらに、アダプタプレートをブラストホイールアセンブリ１８のブラストホイール２４に固着させた後、係止リング３４をしっかりと固着させ、アダプタプレート３６に対する制御ケージ２８の回転移動を防止するために提供される。制御ケージ２８は、次いで、給送噴出口２２を制御ケージ上に設置し、給送噴出口５４をしっかりと固着させることによって、定位置に係止される（図４に示される）。
【００１９】
他の実施形態では、制御ケージ２８は、ブラストホイールアセンブリ１８もしくはその（前述のような）環境の他の定常要素への取付によって移動制約されてもよい、または、ある場合には、一方もしくは両方の方向に回転することが可能にされる、もしくはそのように強制されてもよい。示されるように、２つの保定リング３８のうちの一方は、保定リングのうちの一方が、ブラストホイールアセンブリ１８によって投入される媒体の方向を制御するように、マーキング４０またはユーザが制御ケージ２８をある所望の回転配向に位置付けることを可能にする他の印を有する状態で提供されてもよい。
【００２０】
前述のように、制御ケージ２８の媒体出口３２は、ブラストホイールアセンブリ１８の動作に応じて、ブラスト媒体の流出を可能にする。図示される実施形態では、媒体出口３２は、側面から（すなわち、その軸に垂直方向に）見ると略長方形形状であって、制御ケージ２８の円筒形壁３０の高さの約３／５である。しかしながら、媒体出口３２のサイズ、形状、および場所は、用途に応じて変動してもよい。媒体出口３２の長さは、回転方向の最前方の開口部の最内部分から後縁部分の最外縁までの程度で測定される。示される実施形態の媒体出口３２は、ホイール回転に対して両方向に約７０度であるが、他の実施形態では、開口部の長さ（両方向）は、当業者によって理解されるであろうように、ブラストホイールアセンブリ１８の全体的サイズ、投入される媒体の性質、および所望の流率等の多数の要因に応じて変動してもよい。
【００２１】
図１−３に戻って参照すると、制御ケージ２８の周囲に同心に配列される、ホイールアセンブリ１８は、ホイールアセンブリのホイール２４の背面ホイールと正面ホイールとの間に挟入される、複数のブレード２６を含む。ホイールアセンブリ１８の種々の部品は、典型的には、鋳鉄から形成されるが、また、任意の他の適切な材料および／または方法から作製されてもよい。ホイールアセンブリ１８は、本実施形態では、ホイールアセンブリが、ブラストホイールアセンブリの動作の間、モータによって回転され得るように、モータのシャフトをホイールアセンブリの背面ホイールに係止するために挿入されるキーを用いて、モータ２０に接続される。ブレード２６は、それぞれ、後端端部と先端とを有し、ブラスト媒体を処理されている表面に指向するように構築および配列される。ブレード２６は、直線、湾曲、フレア状、平坦、凹面、または凸形状のうちの１つまたはそれを上回るものを含む、任意の好適なサイズおよび任意の好適な形状であってもよい。
【００２２】
遠心ブラストホイール機械１０の動作は、以下のようになる。ブラスト媒体が、給送噴出口２２から回転インペラ１４の中に給送される。回転インペラ羽根（ならびにインペラ１４内にすでにある媒体の他の粒子）と接触することによって、ブラスト媒体粒子は、加速され、粒子をインペラの軸から半径方向に移動させる遠心力を生じさせる。粒子は、ここで、略円形方向ならびに外向きに移動し、インペラ１４開口部を通してインペラと制御ケージ２８との間の空間の中に移動し、依然として、インペラ羽根および他の粒子の移動によって搬送される。
【００２３】
粒子が、インペラ開口部を通して、インペラ１４と制御ケージ２８との間の空間の中に、そこから媒体出口３２へと通過されると、回転力および遠心力が、粒子を媒体出口を通してブレード２６の後端端部上へと移動させる。制御ケージ２８は、ブレード２６上への一貫しかつ適切な量のブラスト媒体を計測するように機能する。ブラストホイール２４のブレード２６が回転するにつれて、粒子は、その長さに沿って移動され、ブレードの端部からワークピースに向かって投入される、先端に到達するまで、加速する。
【００２４】
加えて、図７−９を参照すると、制御ケージアセンブリ１６の係止リング３４が、円筒形壁３０の周辺縁に固着される。示されるように、係止リング３４は、制御ケージ２８の円筒形壁３０に固着される（例えば、溶接によって）、別個の要素である。係止リング３４は、係止リングから半径方向外向きに突出する、インジケータ針４２を含む。インジケータ針４２は、係止リング３４と一体的に形成される、または別個の構成要素として係止リングに固着されることができる。アダプタプレート３６は、制御ケージ２８の円筒形壁３０をその中に受容するように構成される、中心開口部４４を含む。アダプタプレート３６はさらに、係止リング３４を受容するように定寸および成形される、円周方向陥凹４６を含み、制御ケージ２８は、係止リングの中に挿入され、保定リング３８によって固着される。一実施形態では、円周方向陥凹４６は、アダプタプレート３６内に機械加工される。
【００２５】
アダプタプレート３６はさらに、その中に形成され、係止リング３４および制御ケージ２８をアダプタプレートに固着させると、インジケータ針４２を受容するように構成される、２つの陥凹４８、５０を含む。１つのみの陥凹が、ホイールアセンブリ２４に基づいて、インジケータ針４２を受け入れるようにアクセス可能である。一実施形態では、ホイールアセンブリ２４は、陥凹４８内のインジケータ針４２と、陥凹５０内に設置され、偶発的組立を防止する、プラグ５２とともに、時計回りに回転される。プラグ５２は、ホイールアセンブリ２４の回転を示すように付加的特徴としてプラグ内に埋設される矢印とともに、機械加工または鋳造されてもよい。プラグ５２は、陥凹と同一形状であって、ＬｏｃｔｉｔｅＴＭＨ４８００等の好適な接着剤を用いて定位置に糊着されてもよい。示されるように、各陥凹４８、５０は、円周方向陥凹４６から外向きに延在し、円周方向陥凹と同一平面の深度まで機械加工される。各陥凹４８、５０は、係止リング３４内における制御ケージ２８のある範囲の移動を含む。一実施形態では、移動の範囲は、制御ケージアセンブリ１６を設置する人物が制御ケージ２８を許容される設定点範囲内に設定するように色分けされる。各陥凹４８、５０は、インジケータ針４２のための確動停止部を提供し、係止リング３４および制御ケージ２８の推奨される設定を超えたさらなる回転移動を防止するように設計される。配列は、保定リング３８が、好適な締結具、例えば、機械ねじを用いて定位置に固着されるまで、係止リング３４が、保定リングとアダプタプレート３６との間を自由に浮動するようなものである。
【００２６】
図１０を参照すると、本開示の制御ケージアセンブリ１６の実施形態の制御ケージ２８は、アダプタプレート３６によってブラストホイール２４上に設置され、制御ケージの正しくない位置付けを防止する、「確動停止部」をもたらす。インジケータ針４２は、制御ケージ２８をアダプタプレート３６の中心開口部４４内に挿入すると、陥凹４８または５０内に位置付けられ、係止リング３４を円周方向陥凹４６内に適切に着座させなければならない。制御ケージアセンブリ１６は、具体的用途および場所にカスタマイズされ、係止リング３４内における制御ケージ２８の移動の範囲は、制御ケージ保定リング３８から見ると、概して、「９時」（２７０°）〜「３時」（９０°）位置の範囲となるであろう。制御ケージアセンブリ１６は、製造業者の推奨される設定点に関連して、制御ケージ／ホットスポットの現在の設定を読み取り、視覚的参照を理解することが容易であるように構成される。アセンブリは、制御ケージ／ホットスポットの偶発的な正しくない設定を防止するように設計される。（正しくない制御ケージ設定は、ホットスポットに悪影響を及ぼし、したがって、清掃効率を低減させ、最終的には、コストを増加させ得る。加えて、正しくない制御ケージ設定は、ホットスポットを直接ホイール筐体自体の中に指向し、ホイールユニットの損傷および早期摩耗を生じさせ得る。）制御ケージアセンブリ１６は、正しくない制御ケージ設定点を防止するように設計される。
【００２７】
上に述べたように、本開示の少なくとも一実施形態のいくつかの側面が説明されたが、種々の改変、修正、および改良が、当業者に容易に想起されるであろうことを理解されたい。
【００２８】
そのような改変、修正、および改良は、本開示の一部であることが意図され、本開示の精神および範囲内であることが意図される。故に、前述の説明および図面は、一例にすぎない。
【図１】
0006419316.tif 000002
【図２】
0006419316.tif 000003
【図３】
0006419316.tif 000004
【図４】
0006419316.tif 000005
【図５】
0006419316.tif 000006
【図６】
0006419316.tif 000007
【図７】
0006419316.tif 000008
【図８】
0006419316.tif 000009
【図９】
0006419316.tif 000010
【図１０】
0006419316.tif 000011